(57)【要約】【課題】階調潰れを防止すること。【解決手段】ＢＤプレーヤー１は、モニターのダイナミックレンジを取得するＣＰＵ２と、コンテンツ情報を取得する再生部４と、ＣＰＵ２が取得したモニターのダイナミックレンジと、再生部４が取得したコンテンツ情報と、に基づいて、デジタル映像信号を変換する映像処理部５と、を備える。映像処理部５は、「コンテンツの最小輝度」に相当するデジタル映像信号のコード値が、「モニターの最小輝度」に相当するコード値、また、「コンテンツの最大輝度」に相当するデジタル映像信号のコード値が、「モニターの最大輝度」に相当するコード値となるように、コンテンツのデジタル映像信号の各コード値を変換する。【選択図】図５
2018046317.tif 000002
【特許請求の範囲】
【請求項１】
表示装置のダイナミックレンジを取得する制御部と、
コンテンツ情報を取得する取得部と、
前記制御部が取得した前記表示装置のダイナミックレンジと、前記取得部が取得したコンテンツ情報と、に基づいて、映像信号を変換する映像処理部と、
を備え、
前記映像処理部は、コンテンツ情報に含まれるコンテンツの最小輝度が、前記表示装置のダイナミックレンジの最小輝度、コンテンツ情報に含まれるコンテンツの最大輝度が、前記表示装置のダイナミックレンジの最大輝度となるように、映像信号を変換することを特徴とする映像処理装置。
【請求項２】
前記制御部は、
前記映像処理部に、テスト画像を生成させ、
コンテンツ情報のＥＯＴＦを、前記表示装置が対応しているＥＯＴＦに固定し、ＥＯＴＦ以外が異なる複数のコンテンツ情報を、テスト画像とともに、順に前記表示装置に送信し、
コンテンツのダイナミックレンジの最適化を行うか否かの設定を受け付け、
コンテンツのダイナミックレンジの最適化を行う設定を受け付けた場合、前記映像処理部は、映像信号を変換し、
コンテンツのダイナミックレンジの最適化を行わない設定を受け付けた場合、前記映像処理部は、映像信号を変換しないことを特徴とする請求項１に記載の映像処理装置
【請求項３】
前記制御部は、
前記映像処理部に、ランプ画像、又は、グレースケール画像を生成させ、
ランプ画像、又は、グレースケール画像を前記表示装置に送信し、
ランプ画像、又は、グレースケール画像の最大値と最小値との設定を受け付け、
設定を受け付けたランプ画像、又は、グレースケール画像の最大値と最小値とを、前記表示装置のダイナミックレンジとして取得することを特徴とする請求項１又は２に記載の映像処理装置。
【請求項４】
前記制御部は、
前記映像処理部に、最大値と最小値とが異なる複数のランプ画像、又は、グレースケール画像を生成させ、
複数のランプ画像、又は、グレースケール画像を順に前記表示装置に送信し、
複数のランプ画像、又は、グレースケール画像のうちのいずれか一つの選択を受け付け、
選択を受け付けたランプ画像、又は、グレースケール画像の最大値と最小値とを、前記表示装置のダイナミックレンジとして取得することを特徴とする請求項１又は２に記載の映像処理装置。
【請求項５】
前記取得部は、媒体からコンテンツ情報を取得することを特徴とする請求項１〜４のいずれか１項に記載の映像処理装置。
【請求項６】
前記取得部は、受信した映像信号からコンテンツ情報を取得することを特徴とする請求項１〜４のいずれか１項に記載の映像処理装置。
【発明の詳細な説明】
【技術分野】
【０００１】
本発明は、デジタル映像信号に映像信号処理を行う映像処理装置に関する。
【背景技術】
【０００２】
近年、高輝度のＨＤＲ（High Dynamic Range）に対応したＨＤＲコンテンツが登場している。ＨＤＲコンテンツは、マスターモニターを使用してマスタリングされている。ＨＤＲコンテンツは、ＨＤＲ対応のソース機器、リピーター機器等から、ＨＤＭＩ（登録商標）等を通じて、モニター、プロジェクター等に送信される。このとき、映像信号とともに、以下のようなコンテンツ情報も送信される。
（１）ＥＯＴＦ（Electro-Optical Transfer Function）の種類
（２）マスタリングしたモニターの最大輝度
（３）マスタリングしたモニターの最小輝度
（４）最大フレーム平均輝度
【０００３】
モニターは、（１）〜（４）の情報に基づいて、映像信号を光学的な明るさに変換する。しかしながら、市販されているモニターは、マスターモニターよりもダイナミックレンジが狭いため、コンテンツによっては、コンテンツのダイナミックレンジが、モニターのダイナミックレンジを上回る場合がある。この場合、各ＥＯＴＦ規格に応じた輝度変換を行うだけでは、黒潰れや白飛びが起きてしまう。黒潰れや白飛びを低減するには、モニターがコンテンツ情報を活用し、コンテンツのダイナミックレンジに合わせた最適な輝度変換を行う必要がある。しかしながら、モニターによっては、ＥＯＴＦの種類だけで一意に処理を決めているものもあり、コンテンツによっては階調潰れが起きてしまう。
【０００４】
以下、モニターのダイナミックレンジのパターンを示し、ＥＯＴＦのグラフを用いて、階調潰れについて説明する。ダイナミックレンジの広さは、下記（ａ）〜（ｃ）の３パターンが考えられる。
（ａ）規格値＞マスターモニター＞コンテンツ＞一般的なモニター
（ｂ）規格値＞マスターモニター＞一般的なモニター＞コンテンツ
（ｃ）規格値＞コンテンツ＞マスターモニター＞一般的なモニター
通常は、（ａ）であるため、（ａ）を例にして説明する。
【０００５】
図８は、規格値のダイナミックレンジを示す図である。図９は、マスターモニターのダイナミックレンジの例を示す図である。図１０は、コンテンツに含まれる輝度信号の範囲の例を示す図である。図１１は、一般的なモニターのダイナミックレンジの例を示す図である。図８〜図１１に示すように、上記（ａ）のとおりである。
【０００６】
ＥＯＴＦの種類で一意に処理を決めているモニターは、処理例として、ＥＯＴＦの数式に単にあてはめて処理を行っている。このため、モニターのダイナミックレンジ外は、最小値、又は、最大値で張り付く。これにより、黒潰れ、及び、白飛びが発生する可能性が大きい。図１２は、モニターのダイナミックレンジが、０．０５−７００（ｃｄ／ｍ２）の場合の例を示す図である。図１３は、黒潰れしている付近を示す拡大図である。図示するように、最小値に張り付き、黒潰れが発生する。また、最大値に張り付き、白飛びが発生する。ここで、図８〜図１３に示す映像信号の値は、１０ビットの信号での値である。
【０００７】
なお、特許文献１に記載の発明は、ＨＤＲ信号を、輝度値を示すリニアな信号に変換する。そして、特許文献１に記載の発明は、変換したリニアな信号を、ディスプレイ特性情報とコンテンツ輝度情報とを用いて変換する。
【先行技術文献】
【特許文献】
【０００８】
【特許文献１】特許第５９１４９０２号公報
【発明の概要】
【発明が解決しようとする課題】
【０００９】
上述した階調潰れは、モニターのダイナミックレンジ不足に起因している。
【００１０】
本発明の目的は、階調潰れを防止することである。
【課題を解決するための手段】
【００１１】
第１の発明の映像処理装置は、表示装置のダイナミックレンジを取得する制御部と、コンテンツ情報を取得する取得部と、前記制御部が取得した前記表示装置のダイナミックレンジと、前記取得部が取得したコンテンツ情報と、に基づいて、映像信号を変換する映像処理部と、を備え、前記映像処理部は、コンテンツ情報に含まれるコンテンツの最小輝度が、前記表示装置のダイナミックレンジの最小輝度、コンテンツ情報に含まれるコンテンツの最大輝度が、前記表示装置のダイナミックレンジの最大輝度となるように、映像信号を変換することを特徴とする。
【００１２】
本発明では、映像処理部は、コンテンツの最小輝度が、表示装置の最小輝度、コンテンツの最大輝度が、表示装置の最大輝度となるように、映像信号を変換する。これにより、コンテンツの輝度が、表示装置の輝度内に抑えられるため、黒潰れ、白飛びが発生することがない。従って、本発明によれば、階調潰れが防止される。
【００１３】
第２の発明の映像処理装置は、第１の発明の映像処理装置において、前記制御部は、前記映像処理部に、テスト画像を生成させ、コンテンツ情報のＥＯＴＦを、前記表示装置が対応しているＥＯＴＦに固定し、ＥＯＴＦ以外が異なる複数のコンテンツ情報を、テスト画像とともに、順に前記表示装置に送信し、コンテンツのダイナミックレンジの最適化を行うか否かの設定を受け付け、コンテンツのダイナミックレンジの最適化を行う設定を受け付けた場合、前記映像処理部は、映像信号を変換し、コンテンツのダイナミックレンジの最適化を行わない設定を受け付けた場合、前記映像処理部は、映像信号を変換しないことを特徴とする。
【００１４】
本発明では、制御部は、コンテンツ情報のＥＯＴＦを、表示装置が対応しているＥＯＴＦに固定し、ＥＯＴＦ以外が異なる複数のコンテンツ情報を、テスト画像とともに、順に表示装置に送信する。表示装置の輝度、階調が変化していない場合、表示装置が、ＥＯＴＦの種類だけで一意に処理を決めている。ここで、制御部は、コンテンツのダイナミックレンジの最適化を行うか否かの設定を受け付ける。従って、ユーザーは、表示装置の輝度、階調が変化していない場合、コンテンツのダイナミックレンジの最適化を行う設定を行うことで、映像処理装置に、コンテンツのダイナミックレンジの最適化を行わせることができる。
【００１５】
第３の発明の映像処理装置は、第１又は第２の発明の映像処理装置において、前記制御部は、前記映像処理部に、ランプ画像、又は、グレースケール画像を生成させ、ランプ画像、又は、グレースケール画像を前記表示装置に送信し、ランプ画像、又は、グレースケール画像の最大値と最小値との設定を受け付け、設定を受け付けたランプ画像、又は、グレースケール画像の最大値と最小値とを、前記表示装置のダイナミックレンジとして取得することを特徴とする。
【００１６】
第４の発明の映像処理装置は、第１又は第２の発明の映像処理装置において、前記制御部は、前記映像処理部に、最大値と最小値とが異なる複数のランプ画像、又は、グレースケール画像を生成させ、複数のランプ画像、又は、グレースケール画像を順に前記表示装置に送信し、複数のランプ画像、又は、グレースケール画像のうちのいずれか一つの選択を受け付け、選択を受け付けたランプ画像、又は、グレースケール画像の最大値と最小値とを、前記表示装置のダイナミックレンジとして取得することを特徴とする。
【００１７】
第５の発明の映像処理装置は、第１〜第４のいずれかの発明の映像処理装置において、前記取得部は、媒体からコンテンツ情報を取得することを特徴とする。
【００１８】
第６の発明の映像処理装置は、第１〜第４のいずれかの発明の映像処理装置において、前記取得部は、受信した映像信号からコンテンツ情報を取得することを特徴とする。
【発明の効果】
【００１９】
本発明によれば、階調潰れが防止される。
【図面の簡単な説明】
【００２０】
【図１】本発明の第１実施形態に係るＢＤプレーヤーの構成を示すブロック図である。
【図２】変換式を示すグラフである。
【図３】コンテンツに含まれる輝度信号の範囲の例を示す図である。
【図４】黒潰れ、白飛びが発生している例を示す図である。
【図５】変換されたデジタル映像信号の輝度範囲を示す図である。
【図６】変換されたデジタル映像信号の輝度範囲を示す図である。
【図７】本発明の第２実施形態に係るＡＶレシーバーの構成を示すブロック図である。
【図８】規格値のダイナミックレンジを示す図である。
【図９】マスターモニターのダイナミックレンジの例を示す図である。
【図１０】コンテンツに含まれる輝度信号の範囲の例を示す図である。
【図１１】一般的なモニターのダイナミックレンジの例を示す図である。
【図１２】モニターのダイナミックレンジが、０．０５−７００（ｃｄ／ｍ２）の場合の例を示す図である。
【図１３】黒潰れしている付近を示す拡大図である。
【発明を実施するための形態】
【００２１】
以下、本発明の実施形態について説明する。
【００２２】
（第１実施形態）
図１は、本発明の第１実施形態に係るＢＤ（Blu-ray（登録商標） Disc）プレーヤーの構成を示すブロック図である。ＢＤプレーヤー１（映像処理装置）は、ＣＰＵ２、操作部３、再生部４、映像処理部５、ＯＳＤ処理部６、信号送信部７を備える。ＣＰＵ（Central Processing Unit）２（制御部）は、ＢＤプレーヤー１を構成する各部を制御する。操作部３は、ユーザー操作を受け付けるためのものであり、ＢＤプレーヤー１の筐体に設けられた操作ボタンやリモートコントローラーである。再生部４は、例えば、ＢＤ８からデジタル映像信号を読み取って再生する。再生部４は、再生時、ＢＤ８（媒体）からコンテンツ情報を取得する。コンテンツ情報には、ＥＯＴＦの種類、マスタリングしたモニターの最大輝度、マスタリングしたモニターの最小輝度、コンテンツの最大輝度、最大フレーム平均輝度が含まれる。映像処理部５は、再生部４が再生したデジタル映像信号に、映像信号処理を行う。映像信号処理には、コンテンツのダイナミックレンジを変換する処理が含まれる。また、映像処理部５は、ランプ画像、及び、グレースケール画像を生成する。ランプ画像は、滑らかな階調変化を有する画像である。
【００２３】
ＯＳＤ（On Screen Display）処理部６は、ＯＳＤを生成する。信号送信部７は、デジタル映像信号にコンテンツ情報を埋め込み、接続されているモニター（表示装置）に送信する。
【００２４】
以下、コンテンツのダイナミックレンジの最適化を行う処理について説明する。ＣＰＵ２は、接続されているモニターがＥＯＴＦの種類だけで一意に処理を決めているか否かを判断する。ＣＰＵ２は、テスト画像（例えば、ランプ画像、グレースケール画像）と、コンテンツ情報と、を出力する。コンテンツ情報には、ＥＯＴＦの種類、マスタリングしたモニターの最大輝度、マスタリングしたモニターの最小輝度、コンテンツの最大輝度、最大フレーム平均輝度が含まれる。具体的には、ＣＰＵ２は、映像処理部５に、例えば、ランプ画像を生成させる。また、ＣＰＵ２は、信号送信部５に、ランプ画像にコンテンツ情報を埋め込ませ、モニターへ送信させる。ここで、ＣＰＵ２は、各ＥＯＴＦに対して、その他のコンテンツ情報の値を変えた組み合わせを記憶しておく。そして、ＣＰＵ２は、コンテンツ情報のＥＯＴＦを、モニターが対応しているＥＯＴＦに固定し、ＥＯＴＦ以外が異なる複数のコンテンツ情報を、ランプ画像とともに、順にモニターに出力する。ユーザーは、モニターを目視し、モニターの輝度、階調が変化しているかどうかを確認する。なお、ランプ画像に替えて、グレースケール画像を生成し、グレースケール画像を送信するようになっていてもよい。
【００２５】
モニターの輝度、階調が変化していない場合、モニターが、ＥＯＴＦの種類だけで一意に処理を決めている。このため、ユーザーは、操作部３を操作して、ＢＤプレーヤー１に、コンテンツのダイナミックレンジの最適化を行わせる。また、モニターの輝度、階調が変化している場合、モニターが、ＥＯＴＦの種類以外のコンテンツ情報に応じて、輝度調整を行っているため、ＢＤプレーヤー１でコンテンツのダイナミックレンジの最適化を行う必要はない。従って、ＣＰＵ２は、操作部３を介して、コンテンツのダイナミックレンジの最適化を行わない設定を受け付けた場合、コンテンツのダイナミックレンジの最適化（デジタル映像信号の変換）を行わない。
【００２６】
ＣＰＵ２は、操作部３を介して、コンテンツのダイナミックレンジの最適化を行う設定を受け付けた場合、コンテンツのダイナミックレンジの最適化（デジタル映像信号の変換）を行う。まず、ＣＰＵ２は、接続されているモニターのダイナミックレンジを取得する。ＣＰＵ２は、接続されているモニターのダイナミックレンジを取得するため、信号送信部７により、ＥＯＴＦの種類と、ランプ画像と、をモニターに送信する。ここで、ＢＤプレーヤー１は、マニュアル調整モードと、プリセットモードと、を有する。
【００２７】
マニュアル調整モードは、ユーザーが、操作部３を操作して、ランプ画像の最大値と、最小値と、を調整可能なモードである。ユーザーは、操作部３を操作して、ランプ画像の最大値と、最小値と、を調整し、階調が最も識別可能な値に調整する。ＣＰＵ２は、ユーザー操作に応じて、映像処理部５により、ランプ画像の階調を変化させる。ＣＰＵ２は、操作部３を介して、ランプ画像の最大値と、最小値と、の設定を受け付ける。そして、ＣＰＵ２は、設定を受け付けた最大値と、最小値と、を各ＥＯＴＦに対するモニターの最大輝度値と、最小輝度値と、に設定する。すなわち、ＣＰＵ２は、設定を受け付けたランプ画像の最大値と最小値とを、モニターのダイナミックレンジとして取得する。言い換えれば、ＣＰＵ２は、設定を受け付けたランプ画像の最大値と最小値とを、モニターのダイナミックレンジと推定する。
【００２８】
プリセットモードは、モニターのダイナミックレンジのパターンに合わせたいくつかのランプ画像をモニターに送信し、ユーザーがモニターに表示されたランプ画像のうち、階調が最も識別可能なランプ画像を選択するモードである。ＣＰＵ２は、映像処理部５に、最大値と最小値とが異なる複数のランプ画像を生成させる。ＣＰＵ２は、信号送信部７により、複数のランプ画像を順にモニターに送信する。ユーザーは、操作部３を操作して、階調が最も識別可能なランプ画像を選択する。ＣＰＵ２は、操作部３を介して、複数のランプ画像のうちのいずれか一つの選択を受け付ける。そして、ＣＰＵ２は、選択を受け付けたランプ画像の最大値と、最小値と、を各ＥＯＴＦに対するモニターの最大輝度値と、最小輝度値と、に設定する。すなわち、ＣＰＵ２は、選択を受け付けたランプ画像の最大値と最小値とを、モニターのダイナミックレンジとして取得する。言い換えれば、ＣＰＵ２は、選択を受け付けたランプ画像の最大値と最小値とを、モニターのダイナミックレンジと推定する。
【００２９】
ＣＰＵ２は、再生部４（取得部）に、ＢＤ８からコンテンツ情報を取得させる。次に、ＣＰＵ２は、映像処理部５に、取得したモニターのダイナミックレンジに合わせて、デジタル映像信号のダイナミックレンジを圧縮、又は、伸長させる。まず、映像処理部５は、「マスタリングしたモニターの最小輝度」を、「コンテンツの最小輝度」とする。次に、映像処理部５は、「コンテンツの最小輝度」に相当するデジタル映像信号のコード値が、「モニターの最小輝度」に相当するコード値、また、「コンテンツの最大輝度」に相当するデジタル映像信号のコード値が、「モニターの最大輝度」に相当するコード値となるように、コンテンツのデジタル映像信号の各コード値を変換する。
【００３０】
以下のようにコード値を定義する。
変換前のデジタル映像信号のコード値  Ｄ
変換後のデジタル映像信号のコード値  Ｄ´
コンテンツの最小輝度に相当するデジタル映像信号のコード値  Ｃｍｉｎ
コンテンツの最大輝度に相当するデジタル映像信号のコード値  Ｃｍａｘ
モニターの最小輝度に相当するコード値  Ｍｍｉｎ
モニターの最大輝度に相当するコード値  Ｍｍａｘ
【００３１】
なお、コンテンツの最大輝度＝０、コンテンツの最大輝度＞マスタリングしたモニターの最大輝度である場合、「コンテンツの最大輝度」の代わりに、「マスタリングしたモニターの最大輝度」を代用する。
【００３２】
変換式は、以下のとおりである。図２は、変換式を示すグラフである。
Ｄ＜Ｃｍｉｎのとき、Ｄ´＝Ｍｍｉｎ
Ｃｍｉｎ≦Ｄ≦Ｃｍａｘのとき、
Ｄ´＝（Ｄ−Ｃｍｉｎ）／（Ｃｍａｘ−Ｃｍｉｎ）×（Ｍｍａｘ−Ｍｍｉｎ）＋Ｍｍｉｎ
Ｄ＞Ｃｍａｘのとき、Ｄ´＝Ｍｍａｘ
【００３３】
コンテンツ情報は、以下のとおりであるとする。
ＥＯＴＦの種類  ＳＭＰＴＥ  ＳＴ２０８４
マスタリングしたモニターの最大輝度  ４０００ｃｄ／ｍ２
マスタリングしたモニターの最小輝度  ０．００５０ｃｄ／ｍ２（コード値１９）
コンテンツの最大輝度  １９７７ｃｄ／ｍ２（コード値８４２）
最大フレーム平均輝度  １１１２ｃｄ／ｍ２
【００３４】
ユーザーがランプ画像を調整した結果、モニターの最小輝度、最大輝度が以下のようになったとする。
モニターの最小輝度  ０．０５ｃｄ／ｍ２（コード値５１）
モニターの最大輝度  ７００ｃｄ／ｍ２（コード値７２８）
【００３５】
図３は、コンテンツに含まれる輝度信号の範囲の例を示す図である。ＢＤプレーヤー１が、デジタル映像信号を変換せずに、デジタル映像信号をモニターに出力した場合、例えば、図４に示すように、黒潰れ、白飛びが発生する。
【００３６】
映像処理部５は、上記した計算を行い、デジタル映像信号のコード値を変換する。
コンテンツの最小信号  ０．００５０ｃｄ／ｍ２  １９（変換前）−＞５１（変換後）
コンテンツの最大信号  １９７７ｃｄ／ｍ２  ８４２（変換前）−＞７２８（変換後）
図５は、変換されたデジタル映像信号の輝度範囲を示す図である。変換されたデジタル映像信号がモニターに出力されることにより、図６に示すように、黒潰れ、白飛びの発生が防止される。ここで、図３〜図６の映像信号の値は、１０ビットの信号での値である。現状の規格では、１０ビット、１２ビットが規定されている。本実施形態における映像信号の値は、１０ビット、１２ビットでの値に限られない。
【００３７】
なお、デジタル映像信号のコード値の変換は、画像によって階調の変化が異なるため、以下のような変換を行ってもよい。
（１）Ｍｍｉｎ≦Ｄ´≦Ｍｍａｘと変換した後に、さらに、ガンマ変換を行う。
（２）Ｍｍｉｎ≦Ｄ´≦Ｍｍａｘと変換した後に、さらに、シグモイド関数を使った変換を行う。
（３）ＭｍｉｎからＭｍａｘまでをいくつかの領域に分けて、各領域で変換式の傾きを変える。
黒潰れ、白飛びの発生を防止するには、上記したリニアな変換式を用いればよい。
【００３８】
（第２実施形態）
図７は、本発明の第２実施形態に係るＡＶレシーバーの構成を示すブロック図である。図７に示すように、ＡＶレシーバー１１（映像処理装置）は、ＣＰＵ１２、操作部１３、信号受信部１４、映像処理部１５、ＯＳＤ処理部１６、信号送信部１７を備える。信号受信部１４を除き、ＣＰＵ１２、操作部１３、映像処理部１５、ＯＳＤ処理部１６、信号送信部１７は、コンテンツのダイナミックレンジを最適化する処理に関し、第１実施形態に係るＣＰＵ２、操作部３、映像処理部５、ＯＳＤ処理部６、信号送信部７と同様であるため、説明を省略する。
【００３９】
ＡＶレシーバー１には、例えば、ＢＤプレーヤーが接続されている。信号受信部１４は、ＢＤプレーヤーから出力されるデジタル映像信号を受信する。ＣＰＵ２は、信号受信部１４（取得部）に、デジタル映像信号からコンテンツ情報を取得させる。
【００４０】
以上説明したように、本実施形態では、映像処理部５、１５は、「コンテンツの最小輝度」に相当するデジタル映像信号のコード値が、「モニターの最小輝度」に相当するコード値、また、「コンテンツの最大輝度」に相当するデジタル映像信号のコード値が、「モニターの最大輝度」に相当するコード値となるように、コンテンツのデジタル映像信号の各コード値を変換する。これにより、コンテンツの輝度が、モニターの輝度内に抑えられるため、黒潰れ、白飛びが発生することがない。従って、本実施形態によれば、階調潰れが防止される。
【００４１】
また、本実施形態では、ＣＰＵ２、１２は、コンテンツ情報のＥＯＴＦを、モニターが対応しているＥＯＴＦに固定し、ＥＯＴＦ以外が異なる複数のコンテンツ情報を、テスト画像とともに、順にモニターに送信する。モニターの輝度、階調が変化していない場合、モニターが、ＥＯＴＦの種類だけで一意に処理を決めている。ここで、ＣＰＵ２、１２は、コンテンツのダイナミックレンジの最適化を行うか否かの設定を受け付ける。従って、ユーザーは、モニターの輝度、階調が変化していない場合、コンテンツのダイナミックレンジの最適化を行う設定を行うことで、ＢＤプレーヤー１、ＡＶレシーバー１１に、コンテンツのダイナミックレンジの最適化を行わせることができる。
【００４２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４３】
上述の実施形態においては、ＣＰＵ２、１２は、接続されているモニターのダイナミックレンジを取得するため、信号送信部７、１７により、ＥＯＴＦの種類と、ランプ画像と、をモニターに送信するようになっている。ランプ画像に替えて、グレースケール画像を送信するようになっていてもよい。この場合、マニュアルモードにおいては、ＣＰＵ２、１２は、グレースケール画像の最大値と最小値との設定を受け付ける。そして、ＣＰＵ２、１２は、設定を受け付けたグレースケール画像の最大値と最小値とを、モニターのダイナミックレンジとして取得する。また、プリセットモードにおいては、ＣＰＵ２、１２は、複数のグレースケール画像のうちのいずれか一つの選択を受け付ける。そして、ＣＰＵ２、１２は、選択を受け付けたグレースケール画像の最大値と最小値とを、モニターのダイナミックレンジとして取得する。
【００４４】
上述の実施形態においては、映像処理装置として、ＢＤプレーヤー（ソース機器）、ＡＶレシーバー（リピーター機器）を例示した。これに限らず、他の映像処理装置であってもよい。
【産業上の利用可能性】
【００４５】
本発明は、デジタル映像信号に映像信号処理を行う映像処理装置に好適に採用され得る。
【符号の説明】
【００４６】
１  ＢＤプレーヤー（映像処理装置）
２  ＣＰＵ（制御部）
３  操作部
４  再生部（取得部）
５  映像処理部
７  信号送信部
１１  ＡＶレシーバー（映像処理装置）
１２  ＣＰＵ（制御部）
１３  操作部
１４  信号受信部（取得部）
１５  映像処理部
１７  信号送信部
【図１】
2018046317.tif 000003
【図２】
2018046317.tif 000004
【図３】
2018046317.tif 000005
【図４】
2018046317.tif 000006
【図５】
2018046317.tif 000007
【図６】
2018046317.tif 000008
【図７】
2018046317.tif 000009
【図８】
2018046317.tif 000010
【図９】
2018046317.tif 000011
【図１０】
2018046317.tif 000012
【図１１】
2018046317.tif 000013
【図１２】
2018046317.tif 000014
【図１３】
2018046317.tif 000015